(57)【要約】      （修正有）【課題】ループインダクタを効果的に保護し、組み立てが便利で、高い構造信頼度を具備する電源プラグ構造を提供する。【解決手段】電源プラグ構造は、ループインダクタ、上カバー１２０、下カバー１３０、端子ホルダー１４０、金属シェル、及び、ケーブルを備える。上カバーと下カバーは、互いに垂直に結合されて、収容空間を形成し、ループインダクタを収容する。端子ホルダーは、プレート１４２と、プレートを貫通する孔セットを有する。上カバーの上フックと下カバーの下フックは、端子ホルダーの後側から孔セットに挿入されて、プレートと結合する。金属シェルは、上カバーと下カバーをカバーする。ケーブルは、上カバーのワイヤグリッパーとそれぞれ電気的に接続する複数のワイヤを有する。上述の構造は、組み立てが容易で、濾波功能と安定した構造を有する。【選択図】図２Ａ
0003162851.tif 000002
【実用新案登録請求の範囲】
【請求項１】
電源プラグ構造であって、
中空部を有するループインダクタと、
圧入方式で、垂直に結合し、収容空間を形成して、前記ループインダクタを収容する上カバーと下カバーと、
プレートを有する端子ホルダーと、
前記上カバーと前記下カバーをカバーし、前記端子ホルダーの前記プレートの前面の一部が露出する金属シェル、及び、
複数のワイヤを有するケーブルと、
を備え、
前記複数のワイヤの任意の一つがワイヤグリッパーの任意の一つと電気的に接続され、少なくとも一つの前記ワイヤグリッパーと上フックは、それぞれ、前記上カバーの両側から延伸し、下フックは、前記下カバー横から延伸し、前記上下フックは対応して設置され、前記上下フックの開口は向かい合って設置されるか、又は、背中合わせで設置され、
複数の導電端子が前記プレートの前面から突出し、少なくとも一つの位置決め素子が前記プレートの後面に形成されると共に、前記プレートと前記位置決め素子間に存在する一つの角度で外に延伸し、孔セットが前記プレートを貫通し、前記上下カバーは、前記端子ホルダーの後面に向かって押して、前記上下フックが、前記孔セットに挿入されて、前記上下カバーと前記プレートを整合することを特徴とする電源プラグ構造。
【請求項２】
前記ワイヤグリッパーと前記上フックは、それぞれ、前記上カバーの後側と前側に設置されることを特徴とする請求項１に記載の電源プラグ構造。
【請求項３】
前記下カバーの背面は圧入スロットを有することを特徴とする請求項１または２に記載の電源プラグ構造。
【請求項４】
更に、前記端子ホルダーの前記位置決め素子から突出するリブを有し、前記上カバーと前記下カバーは、前記下カバーの前記圧入スロットを前記リブに沿ってスライドさせることにより、前記端子ホルダーに組み立てられることを特徴とする請求項３に記載の電源プラグ構造。
【請求項５】
前記上カバー、又は、前記下カバーは、更に、リムに沿った、及び/又は、前記収容空間中の複数の位置決め突起部を有することを特徴とする請求項１から４の何れか１項に記載の電源プラグ構造。
【請求項６】
前記下カバー、又は、前記上カバーは、更に、複数の位置決め凹部を有し、前記上カバーと前記下カバーは、前記位置決め突起部を前記位置決め凹部に圧入することにより、互いに固定されることを特徴とする請求項５に記載の電源プラグ構造。
【請求項７】
前記上カバー、又は、前記下カバーは、前記収容空間中に、前記位置決め突起部を有し、前記収容空間中の前記位置決め突起部は、第一位置決めピラーの上に設置され、前記第一位置決めピラーは、前記ループインダクタの前記中空部を通過して、前記上カバー、又は、前記下カバーの前記位置決め突起部が、前記下カバー、或いは、前記上カバーの前記位置決め凹部と結合することを特徴とする請求項５または６に記載の電源プラグ構造。
【請求項８】
前記位置決め凹部は、前記下カバー、又は、前記上カバーの第二位置決めピラーの上に設置されることを特徴とする請求項７に記載の電源プラグ構造。
【請求項９】
前記上カバー、又は、前記下カバーは、前記上カバー、又は、前記下カバーのリムの外側に沿って、フランジを有し、前記上カバーと前記下カバーが結合される時、前記上カバー、又は、前記下カバーのリムは、前記下カバー、又は、前記上カバーの前記フランジの内面に圧入されることを特徴とする請求項１から８の何れか１項に記載の電源プラグ構造。
【請求項１０】
前記端子ホルダーは、前記プレートの後面上に設置された二つの位置決め素子を有し、前記上カバーと前記下カバーが前記プレートに組み立てられた後、前記上カバーと前記下カバーは、二つの前記位置決め素子間に介入することを特徴とする請求項１から９の何れか１項に記載の電源プラグ構造。
【請求項１１】
前記位置決め素子は、それぞれ、前記上カバーと前記下カバーの背面を圧迫することを特徴とする請求項１０に記載の電源プラグ構造。
【請求項１２】
前記金属シェルは、更に、それぞれ、前記端子ホルダーの左右側から、前記上カバーと前記下カバーをカバーする少なくとも二つの横金属シェルを有することを特徴とする請求項１から１１の何れか１項に記載の電源プラグ構造。
【請求項１３】
更に、後金属プレートを有し、前記後金属プレートは、前記端子ホルダーの後側に向かって押され、前記上カバーの表面の一部と前記下カバーの表面の一部をカバーし、前記横金属シェルと結合することを特徴とする請求項１２に記載の電源プラグ構造。
【請求項１４】
更に、前記金属シェルと前記ケーブルをカバーする絶縁プラスチックシェルを有し、前記導電端子が露出することを特徴とする請求項１から１３の何れか１項に記載の電源プラグ構造。
【考案の詳細な説明】
【技術分野】
【０００１】
本考案は、電源プラグ構造（power plug structure）に関するものであって、特に、信頼度の高い電源プラグ構造に関するものである。
【背景技術】
【０００２】
日常生活、工業電子装置、及び、電気装置は、交流電流により電源供給され、交流電流は、電源ソケットに接続された電源プラグによりもたらされる。濾波（wave filter）の不足により、多くの公知の電源プラグは、騒音防止機能と抗電磁妨害機能に欠いている。このような場合、衝撃電流（impulse current）が、早期損害と高故障率を生じる。ある公知の電源プラグは、濾波功能を備えているが、整流ユニットの構造欠陥と不十分な保護を含む要因のため、パフォーマンスが劣る。
【考案の概要】
【考案が解決しようとする課題】
【０００３】
上述の問題を解決するため、本考案の目的は、電源プラグ構造を提供し、上カバーと下カバーが圧入されて、ループインダクタを収容し、整合された上下カバーは端子ホルダーと結合し、これにより、ループインダクタを効果的に保護し、組み立てを便利にし、高い構造信頼度を具備させることである。
【課題を解決するための手段】
【０００４】
上述の目的を達成するため、本考案の実施例による電源プラグ構造は、ループインダクタ、上カバー、下カバー、端子ホルダー、金属シェル、及び、ケーブルを備える。ループインダクタは、中空部を有する。上カバーと下カバーは、圧入方式で、垂直に結合し、収容空間を形成して、ループインダクタを収容する。少なくとも一つのワイヤグリッパーと上フックは、それぞれ、上カバーの両側から延伸する。下フックは、下カバー横から延伸する。上下フックは垂直に設置される。上下フックの開口は向かい合って設置されるか、又は、背中合わせで設置される。端子ホルダーはプレートを有する。複数の導電端子がプレートの前面から突出する。少なくとも一つの位置決め素子がプレートの後面に形成されると共に、プレートと位置決め素子間に存在する一つの角度で外に延伸する。孔セットは、プレートを貫通する。上カバーと下カバーは、端子ホルダーの後側からプレートを挿入し、上下フックが、孔セットに挿入され、プレートと固定する。金属シェルは、上カバーと下カバーをカバーし、端子ホルダーのプレートの前面の一部を露出する。ケーブルは複数のワイヤを有し、各ワイヤは、任意のワイヤグリップと電気的に接続する。
【考案の効果】
【０００５】
本考案の電源プラグ構造は、ループインダクタを効果的に保護し、組み立てが便利で、高い構造信頼度を具備する。
【図面の簡単な説明】
【０００６】
【図１】本考案の実施例による電源プラグ構造の組み立てを示す図である。
【図２Ａ】本考案の実施例による電源プラグ構造の組み立てを示す図である。
【図２Ｂ】本考案の実施例による電源プラグ構造の組み立てを示す図である。
【図３】本考案の実施例による電源プラグ構造の組み立てを示す図である。
【図４】本考案の実施例による電源プラグ構造の組み立てを示す図である。
【図５】（A）および（B）は本考案の実施例による電源プラグ構造の図であり、（C）は（B）のAA線に沿った断面図であり、（D）は（C）の部分拡大図である。
【図６】本考案の実施例による上カバーと下カバーを示す図である。
【考案を実施するための形態】
【０００７】
本考案の実施例による電源プラグ構造の組み立て図が、それぞれ、図１、図２A、図２B、図３、及び、図４で示される。まず、図１を参照すると、電源プラグ構造は、中空部１１２を有するループインダクタ１１０を備える。ループインダクタ１１０は、磁石リング上で、二個の独立したコイルを巻くことにより形成され、二個の独立したコイルは、同一の巻き数であるが、それぞれ、反対方向に巻かれる。上カバー１２０と下カバー１３０は、圧入方式で、垂直に結合されて、空間を形成し、ループインダクタ１１０を収容する。上フック１２２と少なくとも一つのワイヤグリッパー１２４は、それぞれ、上カバー１２０の両横から延伸する。本実施例において、上フック１２２とワイヤグリッパー１２４は、それぞれ、上カバー１２０の前側１２１と後側１２３から延伸する。下フック１３２は、下カバー１３０の横から延伸する。本実施例において、下フック１３２は、下カバー１３０の前側１３１から延伸する。上フック１２２と下フック１３２は、垂直方向で、互いに対応する。上フック１２２の開口１２５と下フック１３２の開口１３５は、向かい合って設置されるか、或いは、背中合わせで設置される。本実施例において、上フック１２２の開口１２５と下フック１３２の開口１３５は、向かい合って設置される。
【０００８】
図２Aと図２Bを参照すると、図２Bは、図２Aと別角度から見た組み立て図である。図２Aで示されるように、本考案の電源プラグ構造は、更に、プレート１４２を有する端子ホルダー１４０を備える。複数の導電端子１４４は、プレート１４２の前面１４１から突出する。少なくとも一つの位置決め素子１４６が、プレート１４２の後面１４３上に形成され、位置決め素子１４６とプレート１４２間に存在する角度で、プレート１４２から延伸する。図２Bで示されるように、孔セット１４８はプレート１４２を貫通する。上カバー１２０の上フック１２２と下カバー１３０の下フック１３２は、端子ホルダー１４０の後面１４３から孔セット１４８に挿入されて、プレート１４２と結合する。孔セット１４８が、上カバー１２０の上フック１２２と下カバー１３０の下フック１３２に適合しさえすれば、本考案は、孔セット１４８の数量を限定しない。
【０００９】
図２Bを再び参照すると、一つの実施例において、下カバー１３０は、更に、圧入スロット１３３を備え、圧入スロット１３３が下カバー１３０の背面１３９に設置され、端子ホルダー１４０は位置決め素子１４６から突出するリブ１４７を備え、これにより、上カバー１２０と下カバー１３０は、下カバー１３０の圧入スロット１３３をリブ１４７に沿ってスライドさせることにより、端子ホルダー１４０に組み立てられる。このような構造設計は、整合された上カバー１２０と下カバー１３０を、端子ホルダー１４０にしっかりと固定する。
【００１０】
図３で示されるように、金属シェル１５０は、組み立てられた上カバー１２０、下カバー１３０、及び、端子ホルダー１４０をカバーし、端子ホルダー１４０のプレート１４２の前面１４１の一部を露出する。一つの実施例において、金属シェル１５０は、更に、左右両側から、上カバー１２０と下カバー１３０をカバーする少なくとも左右両側の横金属シェル１５２、１５４を備える。金属シェル１５０は、更に、後金属プレート１５６を有する。一つの実施例において、後金属プレート１５６は開口を有する。しかし、本考案は、後金属プレート１５６が開口を有することを限定しない。後金属プレート１５６は、上カバー１２０と下カバー１３０の後側に、横金属シェル１５２と１５４とを結合し、上カバー１２０と下カバー１３０の一部表面をカバーする。一つの実施例において、横金属シェル１５２と１５４は、それぞれ、複数の突起部１５３と１５３'とを有し、後金属プレート１５６は複数の孔セット１５７を有する。後金属プレート１５６の孔セット１５７は、横金属シェル１５２と１５４の突起部１５３と１５３'とを結合する。一つの実施例において、横金属シェル１５２と１５４は、それぞれ、湾曲部分１５５、１５５'を有する。組み立てにおいて、横金属シェル１５２と１５４は、湾曲部分１５５、１５５'により、端子ホルダー１４０の前面１４１に固定される。
【００１１】
図４は、金属シェル１５０が組み立てられた後の電源プラグ構造の半製品を示す図である。金属シェル１５０は、組み立てやすいという長所を有し、電磁妨害（electromagnetic interference）を遮蔽する機能を有する。次に、金属シェル１５０が組み立てられた後、複数のワイヤ１６２を有するケーブル１６０が電源プラグ構造に組み立てられる。各ワイヤ１６２は、ワイヤグリッパー１２４の任意の一つと電気的に接続される。一つの実施例において、ワイヤ１６２は、リベット打ち方法により、ワイヤグリッパー１２４と接続されて、製造効率を向上させる。
【００１２】
図５Aと図５Bを参照すると、ワイヤ１６２がしっかりと組み立てられた後、絶縁プラスチックシェル１７０は、上述の素子を覆い、導電端子１４４を露出する。これにより、図５Aと図５Bで示される電源プラグ構造が形成される。図５Aで示される電源プラグ構造は、本考案の一つの実施例に過ぎない。明細書中の実施例は、本考案を例示するだけであり、これらは決して本考案に限定するものではない。本考案の技術特徴は、中国、米国、カナダ、スイス、オーストラリア、イスラエル等の他国の安全基準の電源プラグ構造に適用できる。
【００１３】
図５Cは、図５BのAA線に沿った断面図である。上カバー１２０の上フック１２２と下カバー１３０の下フック１３２は、それぞれ、端子ホルダー１４０の孔セット１４８を通過し、端子ホルダー１４０上でしっかり固定される。一つの実施例において、プレート１４２の後面上に垂直に設置された二つの位置決め素子１４６と１４６'がある。組み立て後、上カバー１２０と下カバー１３０は、二つの位置決め素子１４６と１４６'間に介入する。図５Cで示されるように、上カバー１２０と下カバー１３０がプラスチック注入の圧力により分離しないように、二つの位置決め素子１４６と１４６'は、それぞれ、上カバー１２０と下カバー１３０を圧迫する。これにより、ループインダクタ１１０は、更に効果的に保護され、電源プラグ構造の信頼性が増加する。
【００１４】
上述の実施例中、上カバー１２０と下カバー１３０が圧入されて、ループインダクタ１１０を収容する。圧入された上カバー１２０と下カバー１３０は、その後、端子ホルダー１４０に結合される。しかし、上カバー１２０と下カバー１３０をどのように圧入するかは、まだ説明されていない。以下で、上カバー１２０と下カバー１３０の圧入メカニズムを説明する。図６を参照すると、複数の位置決め突起部１３４がリム（rim）１３７に沿って、及び/又は、下カバー１３０の収容空間中に形成される。上カバー１２０は、位置決め突起部１３４に対応する複数の位置決め凹部１２６を有する。これにより、上カバー１２０と下カバー１３０は、位置決め突起部１３４と位置決め凹部１２６により、互いに結合される。図５Dは、図５Cの部分拡大図である。一つの実施例において、下カバー１３０の収容空間中の位置決め突起部１３４は、第一位置決めピラー１３６上に設置される。第一位置決めピラー１３６は、下カバー１３０の内部から突出し、上に延伸し、ループインダクタ１１０の中空部１１２を通過して、位置決め突起部１３４が上カバー１２０の位置決め凹部１２６に結合される。この実施例において、位置決め凹部１２６は、第二位置決めピラー１２８上に設置される。理解できることは、位置決め突起部と位置決め凹部の位置は交換できることである。一つの実施例において、上カバー１２０と下カバー１３０は、どちらも、同時に、位置決め突起部と位置決め凹部を有する。位置決め突起部と位置決め凹部が、上述の実施例でいかに設置されても、上カバーと下カバーは、互いに結合することができれば好ましい。
【００１５】
図６を再度参照すると、一つの実施例において、上カバー１２０、又は、下カバー１３０は、リムの外側に沿って、フランジを有する。ここで、下カバー１３０上のフランジ１３８は、例示として用いられる。上カバー１２０が下カバー１３０に結合される時、上カバー１２０のリム１２７は、フリンジ１３８の内側面に圧入される。このような設計は、位置決め突起部の位置決めを補助する。
【００１６】
本考案の一つの特徴は、ループインダクタの電子素子が、電源プラグ構造内側の回路と整合されることである。電源供給ネットワークに起因する、又は、ローカルネットワーク中の負荷により生じる電源の震動（fluctuation）があっても、AC回路のコモンモード電流により誘発される高インピーダンスと磁気流束（magnetic fluxes）は、ループインダクタの磁気リングで平衡（counterbalanced）する。これにより、本考案は、雑音障害（noise interference ）と 電磁妨害（electromagnetic interference）を抑制し、電子装置と電化製品の耐用年数を延長する。本考案の他の特徴は、複数の位置決め突起部と、位置決め突起部に対応する複数の位置決め凹部が、上カバーと下カバー上に形成されて、上カバーと下カバーの位置決めを補助することである。更に、下カバーの背面は、端子ホルダーのリブに対応するスロットと結合して、上カバーと下カバーを引導し、端子ホルダーに、早く、正確に、組み立てることができる。更に、複数の横金属シェルと後金属プレートは、容易に組み立てることができ、補助装置なしでも、優れた固定効果を達成する。
【００１７】
結論として、本考案は電源プラグ構造を提供し、上カバー、下カバー、及び、端子ホルダーを、挿入方式で整合することにより、簡単に組み立てることができ、高い構造性と信頼度を有し、ループインダクタを効果的に保護する。
【００１８】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案の保護範囲は、実用新案登録請求の範囲で指定した内容を基準とする。
【符号の説明】
【００１９】
110  ループインダクタ
112  中空部
120  上カバー
121, 131  前側
122  上フック
123  後側
125, 135  開口
126  位置決め凹部
127, 137  リム
128, 136  位置決めピラー
130  下カバー
132  下フック
133  圧入スロット
134  位置決め突起部
138  フランジ
139  背面
140  端子ホルダー
141  前面
142  プレート
143  後面
144  導電端子
146  位置決め素子
147  リブ
148  孔セット
150  金属シェル
152, 154  横金属シェル
153, 153'  突起部
155, 155'  湾曲部分
156  後金属プレート
157  孔セット
160  ケーブル
162  ワイヤ
170  絶縁プラスチックシェル
【図１】
0003162851.tif 000003
【図２Ａ】
0003162851.tif 000004
【図２Ｂ】
0003162851.tif 000005
【図３】
0003162851.tif 000006
【図４】
0003162851.tif 000007
【図５】
0003162851.tif 000008
【図６】
0003162851.tif 000009